(57)【特許請求の範囲】
【請求項１】
ベースプレートと、該ベースプレートに互いに間隔を置いて平行に複数配置された薄板状のプレートフィンと、該プレートフィン群の先端部を覆うカバープレートとを備え、
該カバープレートには、平坦部と、該平坦部の両側縁部に任意の角度にて立ち下がる立ち下がり部とが設けられ、さらに、該立ち下がり部には、前記プレートフィンの先端が差し込まれる切り込みが該プレートフィンと等しいピッチで設けられ、
該切り込みに前記プレートフィンの先端が差し込まれて、該プレートフィンの先端が前記カバープレートにより拘束されることを特徴とする放熱器。
【請求項２】
請求項１記載の放熱器において、前記プレートフィン群の先端部は、単数または複数の前記カバープレートにより覆われていることを特徴とする放熱器。
【請求項３】
請求項１または２に記載の放熱器において、前記カバープレートは、前記プレートフィンに取り付けられていることを特徴とする放熱器。
【発明の詳細な説明】
【０００１】
【発明の属する技術分野】
本発明は、電子・電気機器等、熱を発生する対象物を除熱するための放熱フィンに関する。
【０００２】
【従来の技術】
電子・電気機器などにおいては、発熱による機器性能の低下を抑えるために放熱器を用いることが広く行われている。そしてこのような放熱器としては、例えば図８に示されているものがある。放熱器１は、ベースプレート２と、このベースプレート２に互いに間隔を持って平行に配された薄板状の複数のプレートフィン３とを備えている。このときそれぞれのプレートフィン３はベースプレート２の板面に対しほぼ直交するように配置されている。
また、放熱ファン４が放熱器１の上流側端部に取り付けられており、プレートフィン３間には放熱ファン４から冷却用空気Ｗが供給されて放熱効果が高められるようになっている。
【０００３】
【発明が解決しようとする課題】
ところで、上記従来の放熱器においてはプレートフィン３の先端（上端）が拘束されていないため、先端側でフィンピッチが設定通りとならず、プレートフィン３間を流れる冷却用空気Ｗの風量に差が生じてプレートフィン３の放熱効果に偏りが生じるという問題があった。
また、プレートフィン３の上方が開放されているため、冷却用空気Ｗが上方に漏れ、下流側では上流側よりもプレートフィン３間を通過する風量が減少し、放熱性能が悪化するという問題があった。
このような問題を解決する手段としては、従来ベースプレート２をプレートフィン３の先端側にも設けることが行われている。しかしながら、プレートフィン３の基端側と先端側の双方にベースプレート２に取り付けると重量が重くなるとともに、各プレートフィン３の基端側だけでなく先端側も固定する必要があるため組立難度が高くなるという問題があった。
【０００４】
上記事情に鑑み、本発明においては放熱効率を向上することができ、かつ容易に組み立てることができる放熱器を提供することを目的とする。
【０００５】
【課題を解決するための手段】
請求項１記載の放熱器は、ベースプレートと、該ベースプレートに互いに間隔を置いて平行に複数配置された薄板状のプレートフィンと、該プレートフィン群の先端部を覆うカバープレートとを備え、該カバープレートには、平坦部と、該平坦部の両側縁部に任意の角度にて立ち下がる立ち下がり部とが設けられ、さらに、該立ち下がり部には、前記プレートフィンの先端が差し込まれる切り込みが該プレートフィンと等しいピッチで設けられ、該切り込みに前記プレートフィンの先端が差し込まれて、該プレートフィンの先端が前記カバープレートにより拘束されることを特徴とする。
【０００６】
この放熱器においては、カバープレートによりプレートフィンの先端が拘束されることにより、フィンピッチを所定寸法に保持することができる。
また、カバープレートが蓋体となることにより、冷却用空気が上方に漏れることを防止する。
このカバープレートには切り込みが備えられているので、この切り込みにプレーとフィンの先端を差し込み、接合（ロウ付け、接着等）することで、容易に取り付けることができる。
立ち下がり部の角度は任意であり、平坦部から垂直に立ち下がることとしてもよいし、両側縁部の先端が互いに内側を向くように鋭角に立ち下がっていてもよいし、または外方に広がる鈍角としてもよい。さらに、両側縁部の立ち下がり部が、それぞれ異なる角度にて立ち下がることとしてもよい。
【０００７】
請求項２記載の放熱器は、請求項１記載の放熱器において、前記プレートフィン群の先端部は、複数の前記カバープレートにより覆われていることを特徴とする。
【０００８】
このように複数のカバープレートを取り付けることができるので、カバープレートを組み合わせることで任意の幅、長さの放熱器に応用することができる。
なお、カバープレート間の間隔は１０ｍｍ以下とすることが望ましい。これ以上離間していると上方に漏れる冷却用空気の量が多くなるからである。
【０００９】
【発明の実施の形態】
以下、本発明の放熱器について図面を参照して説明する。
図１に示すように、放熱器１１は、ベースプレート２と、このベースプレート２の板面に固定された複数のプレートフィン３と、プレートフィン３群の先端部を覆うカバープレート６とを備えている。また、プレートフィン３間に冷却用空気Ｗを供給する放熱ファン４が設けられている。
ベースプレート２の板面に固定された複数のプレートフィン３は薄板状であり、放熱器１１の幅方向に互いに間隔をもってベースプレート２の一面に配されている。
【００１０】
カバープレート６はプレートフィン３群に単数または複数（本例では２つ）設けられている。これらカバープレート６間の離間距離Δｘは、Δｘ＝０〜１０ｍｍの間で設定されている。
カバープレート６は、図２〜図４に示すように立ち下がり部６ａと平坦部６ｂとを備えている。平坦部６ｂの両側縁に垂直に立ち下がる立ち下がり部６ａが設けられ、立ち下がり部６ａには、プレートフィン３のフィンピッチと等しく切り込み８が設けられている。
切り込みは図４に示す形状となっている。すなわち、切り込み８は、立ち下がり部６ａと平坦部６ｂとに渡って設けられプレートフィン３の先端が差し込まれる矩形部８ａと、立ち下がり部６ａ下端にて幅広となる案内部８ｂとから構成されている。矩形部８ａの幅はプレートフィン３の先端が差し込み可能なようにプレートフィン３の幅より広くなっている。
このカバープレート６は、平板の両端に切り込み８を形成した後、両端から所定幅を折曲して形成される。
【００１１】
さて、上記プレートフィン３は、ベースプレート２に取り付けられている。図３に示すように、ベースプレート２には所定のフィンピッチをなして溝２ａが形成されており、この溝２ａにプレートフィン３を嵌合させた後、プレートフィン３の先端をカバープレート６に設けられた切り込み８に差し込む。そして、カバープレート６とプレートフィン３とを接合するとともに、ベースプレート２の溝２ａの縁部でベースプレート２とプレートフィン３とを固定する。
【００１２】
以上のように、本例においてはプレートフィン３の先端にガイドプレート６を配置することにより、プレートフィン３のフィンピッチの保持が可能となり、冷却効率が向上する。
また、切り込み８にプレートフィン３を差し込んで接合するだけであるので容易に組み立てることができる。このとき、切り込み８には案内部８ｂが形成されているので、プレートフィン３の先端が案内部８ｂによりガイドされ、矩形部８ａに容易に差し込むことができる。
さらに、上記のようにフィンピッチが保持されているので、プレートフィン３をベースプレート２に固定する際にもそのフィンピッチが変動することなく、容易に固定することができる。
【００１３】
さらにまた、ガイドプレート６が冷却用空気Ｗの漏れを防止することにより、冷却効率を向上させることができる。
さらに、図１のように複数のガイドプレート６を取り付けることにより、立ち下がり部６ａ近傍を通過する冷却用空気Ｗが乱流となり、プレートフィン３の放熱が促進され、冷却効率が向上する。
また、ガイドプレート６間の離間距離が１０ｍｍ以下とされているので、冷却用空気Ｗの漏れを抑制しつつ上記各効果を得ることができる。
【００１４】
なお、本発明は以下の形態としてもよい。
図５に示すように、ガイドプレート６を３個（またはそれ以上）取り付けてもよい。このようにガイドプレート６を組み合わせて取り付けることにより、種々の大きさのベースプレート２’、プレートフィン３’に応用することができる。
また、図６に示すように、図４のガイドプレート６とは異なるピッチの切り込み８’が形成されたガイドプレート６’としてもよい。これらすべての切り込み８’にプレートフィン３を差し込むこととしてもよいし、例えば一つ置きにプレートフィン３を差し込んでもよい。
また、上記各例においては、ガイドプレート６の立ち下がり部６ａを垂直に立ち下げたが、これに限るものではない。例えば、図７(a)で示すように鋭角に立ち下げてもよいし、(b)のように鈍角に形成してもよい。さらには、両側縁部の立ち下がり部が各々異なる角度にて形成されていてもよい。つまり、一方を垂直、他方を鋭角に形成するなど、上記垂直、鋭角、鈍角のうち、任意の組み合わせを採用することができる。
【００１５】
【発明の効果】
以上のように、本発明においてはプレートフィンの先端にガイドプレートを配置することにより、プレートフィンのフィンピッチの保持が可能となり、冷却効率が向上する。
また、切り込みにプレートフィンを差し込んで取り付けるだけであるので容易に組み立てることができる。
さらにまた、ガイドプレートが冷却用空気の漏れを防止することにより、冷却効率を向上させることができる。
【図面の簡単な説明】
【図１】  本発明の一実施形態として示した放熱器の斜視図である。
【図２】  同放熱器に用いられるガイドプレートであり、(a)は上面図、(b)は側面図である。
【図３】  同ガイドプレートの取り付け状態を示す図であり、冷却用空気の通過方向から見た図である。
【図４】  同ガイドプレートの部分拡大図であり、(a)は上面図、(b)は正面図である。
【図５】  変形例として示した放熱器を示す図である。
【図６】  変形例として示したガイドプレートの部分拡大図であり、(a)は上面図、(b)は正面図である。
【図７】  変形例として示したガイドプレートの側面図である。
【図８】  従来の放熱器を示す斜視図である。
【符号の説明】
２    ベースプレート
３    プレートフィン
６    カバープレート
６ａ  立ち下がり部
８    切り込み
１１  放熱器
【図１】
0003753903.tif 000002
【図２】
0003753903.tif 000003
【図３】
0003753903.tif 000004
【図４】
0003753903.tif 000005
【図５】
0003753903.tif 000006
【図６】
0003753903.tif 000007
【図７】
0003753903.tif 000008
【図８】
0003753903.tif 000009